(57)【要約】【課題】各人が固有のメロディを容易に創造することを可能にする音生成装置を提供することを目的とする。【解決手段】音生成装置１は、日時に関する情報が入力される入力部１５と、０°〜３６０°を所定角度に分割し、分割した角度毎に音名を割り当てた音名変換テーブルを記憶する記憶部１１と、入力部１５から日時情報が入力された際、日時毎の太陽系惑星における各惑星の方位データ及び高度データを有する惑星位置データを算出可能であり、その日時に対応する惑星位置データから方位データ及び高度データを取得し、惑星毎に前記音名変換テーブルを参照して音名を割り当てると共に、割り当てた音名を、前記高度データの高度順にしたがって順番特定する音順特定処理部１０，１１，１２と、予め特定されたメロディフレームを格納しており、音順特定処理部で特定された音順を、メロディフレームに合成してメロディを生成する音生成部１６と、を有する。【選択図】図１
2011081280.tif 000002
【特許請求の範囲】
【請求項１】
少なくとも日時に関する情報が入力される入力部と、
０°〜３６０°を所定角度に分割し、分割した角度毎に音名を割り当てた音名換テーブルを記憶する記憶部と、
前記入力部から日時情報が入力された際、日時毎の太陽系惑星における各惑星の方位データ及び高度データを有する惑星位置データを算出可能であり、その日時に対応する惑星位置データから方位データ及び高度データを取得し、惑星毎に前記音名変換テーブルを参照して音名を割り当てると共に、割り当てた音名を、前記高度データの高度順にしたがって順番特定する音順特定処理部と、
予め特定されたメロディフレームを格納しており、前記音順特定処理部で特定された音順を、前記メロディフレームに合成してメロディを生成する音生成部と、
を有することを特徴とする音生成装置。
【請求項２】
前記音順特定処理部は、異なる地域毎に対応した複数の惑星位置データを算出可能であり、前記日時情報が入力される地域に最も近い惑星位置データを参照して、前記方位データ及び高度データを取得することを特徴とする請求項１に記載の音生成装置。
【請求項３】
前記音生成部は、複数のメロディフレームを格納しており、
前記入力部から入力された情報に基づいて、所定のメロディフレームを選択可能であることを特徴とする請求項１又は２に記載の音生成装置。
【請求項４】
前記音生成部で生成された音を報知するスピーカを有することを特徴とする請求項１から３のいずれか１項に記載の音生成装置。
【請求項５】
前記入力部には、通信網を介して所定の端末から前記日時情報が入力されるようになっており、
前記音生成部で生成されたメロディをＭＩＤＩ方式の情報や、ＭＩＤＩ方式等の音声ファイル情報に変換し、前記通信網を介して前記所定の端末に出力する通信管理部を有することを特徴とする請求項１から４のいずれか１項に記載の音生成装置。
【請求項６】
少なくとも日時に関する情報が入力される入力部と、生成されたメロディを出力する出力部とを備え、前記日時情報が入力された際にメロディを生成する音生成装置を機能させるプログラムであって、
前記音生成装置を、
前記入力部を介して少なくとも日時に関する情報を取得する日時情報取得ステップ、
前記入力部から日時情報が入力された際、日時毎の太陽系惑星における各惑星の方位データ及び高度データを算出する算出ステップ、
０°〜３６０°を所定角度に分割し、分割した角度毎に音名を割り当てた音名変換テーブルを参照して、前記算出ステップで得られた各惑星の方位データを割り当てて音名を特定する音名特定ステップ、
前記算出ステップで得られた高度データから、前記音名特定ステップで特定された音名を高度順にしたがって順番特定する音順特定ステップ、
前記音順特定ステップによって特定された音順を、所定のメロディフレームに合成してメロディを生成する音生成ステップ、
として機能させるための音生成プログラム。
【請求項７】
前記算出ステップは、異なる地域毎に対応して、各惑星の方位データ及び高度データを算出可能であり、前記日時情報取得ステップで取得された地域に最も近い各惑星の方位データ及び高度データを算出することを特徴とする請求項６に記載の音生成プログラム。
【請求項８】
前記音生成ステップは、前記入力部から入力される情報に基づいて、複数のメロディフレームから所定のメロディフレームを選択することを特徴とする請求項６又は７に記載の音生成プログラム。
【発明の詳細な説明】
【技術分野】
【０００１】
本発明は、携帯電話に代表される携帯端末、パーソナルコンピュータ、時計、ゲーム機等の音を発生することが可能な各種の音声装置、或いは、インターネットのような通信網に接続されて、前記携帯端末などの音声装置に対して音を配信することが可能なサーバに組み込まれる音生成装置、及び、そのような音生成装置用のプログラムに関する。
【背景技術】
【０００２】
従来、携帯電話のような端末装置は、各種の音を発生することが可能となっている。このような携帯端末で発生する音は、着信音やアラーム音として、利用者が好みに応じて設定することができ、例えば、特許文献１に開示されているように、通信網を介して所定のサーバにアクセスし、好みの音楽やメロディをダウンロードし、第三者から着信があったときや、設定した時間に発生させることが可能となっている。
【０００３】
また、特許文献２には、５０音に対応した音声データを記録しておき、発信元を特定できる情報から発信者を特定し、その発信者の名前（氏名、名称、呼称など）を生成することが可能な携帯端末が開示されている。
【先行技術文献】
【特許文献】
【０００４】
【特許文献１】特開平１１−１２７２６２号
【特許文献２】特開２００３−２５８９４０
【発明の概要】
【発明が解決しようとする課題】
【０００５】
上記した特許文献１に開示されているように、従来の携帯端末等から発せられる音は、既に流布している音楽やメロディであり、利用者は、好みによってそれらを再生するに過ぎず、選択する範囲に限界がある。また、上記した特許文献２の技術は、単に具体的な名前（音声）を生成するに留まり、音楽やメロディを奏でるものではない。
【０００６】
一方、人は自己のアイデンティティ−を表現するに際して、様々な手法を用いており、例えば、言語、表情、感情、身振り、服装、髪型、趣味等、様々な方法を自ら選んで他人とコミュニケーションをとっている。これらは、各人が固有に備えるものであり、これにより、例えば、自己を表現したり、他人と区別化を図ったり、他人との良好なコミュニケーションを図る、といったことが可能となる。もちろん、このような個人が備えるアイデンティティーについては、音で表現することも可能であるものの、上記のように既存の音楽やメロディの中から、自らの好みを選択するのでは、アイデンティティーの表現にも限界があり、更には、他人との区別化を諮るべく、自分にとって固有のメロディを創造することは容易ではない。
【０００７】
本発明は、上記した事情に着目してなされたものであり、各人が固有のメロディを容易に創造することを可能にする音生成装置、及び、そのような音生成装置用のプログラムを提供することを目的とする。
【課題を解決するための手段】
【０００８】
上記した課題を解決するために、本発明に係る音生成装置は、少なくとも日時に関する情報が入力される入力部と、０°〜３６０°を所定角度に分割し、分割した角度毎に音名を割り当てた音名換テーブルを記憶する記憶部と、前記入力部から日時情報が入力された際、日時毎の太陽系惑星における各惑星の方位データ及び高度データを有する惑星位置データを算出可能であり、その日時に対応する惑星位置データから方位データ及び高度データを取得し、惑星毎に前記音名変換テーブルを参照して音名を割り当てると共に、割り当てた音名を、前記高度データの高度順にしたがって順番特定する音順特定処理部と、予め特定されたメロディフレームを格納しており、前記音順特定処理部で特定された音順を、前記メロディフレームに合成してメロディを生成する音生成部と、を有することを特徴とする。
【０００９】
上記した構成の音生成装置は、日時毎の太陽系惑星における各惑星の方位データ及び高度データ、並びに、０°〜３６０°を所定角度に分割し、分割した角度毎に音名（五線譜に並ぶ音名を特定する個々の音を表しており、日本語では「ド」「レ」「ミ」「ファ」「ソ」「ラ」「シ」「ド」が対応し、英語では「Ｃ」「Ｄ」「Ｅ」「Ｆ」「Ｇ」「Ａ」「Ｂ」「Ｃ」が対応する）を割り当てた音名変換テーブル（図３参照）を用いることで、様々なメロディを生成（創造）することが可能となる。
【００１０】
すなわち、太陽系惑星における各惑星（月、太陽、水星、金星、火星、木星、土星、天王星、海王星、冥王星）の方位データ及び高度データは、日時によって、具体的な数値が特定されるのであり、所定の算出プログラムにより、任意の日時における各惑星の方位データ及び高度データを算出することが可能である。一方、０°〜３６０°を所定角度に分割し、分割した角度毎に音名を割り当てた音名変換テーブルを参照し、得られた各惑星の方位データを当てはめることで、複数の音名を取得することが可能となり、さらに、ここで得られた複数の音名は、各惑星の高度データを参照し、高度順（低い順、又は高い順）に並び替えることで音順を特定することが可能となる。そして、特定された音順を、予め記憶されているメロディフレームに合成することにより、所定のメロディを生成することが可能となる。
【００１１】
上記したように、太陽系惑星における各惑星の方位データ及び高度データは、日時によって異なっているため、方位データによって取得される音名は、日時によって異なり、かつ、高度データによって特定される音順についても日時によって異なる。このため、利用者は、日時毎に、全く異なるメロディを生成（創造）することが可能となる。
【００１２】
上記した構成において、音名変換テーブルとは、０°〜３６０°を所定角度に分割し、分割した角度毎に音名を割り当てたものである。例えば、均等間隔で３０°分割すると、１２区分（最大で１２音）に分割することが可能である。この場合、分割する角度については任意であり、それによって割り当てられる音名数も変更することが可能である。後述する実施形態では、均等間隔で６°分割しており、６０区分して音名を割り当てている（同一の音名が含まれていても良い）。
【００１３】
また、上記した構成において、太陽系における各惑星の方位データ、及び音変換テーブルによって得られた複数の音名は、各惑星の高度データを参照して、高度順（低い順、又は高い順）に並び替えて音順を特定しているが、高度順に並び替えることで、いわゆる自然界の動き（惑星が自然に地平線から登る順）に合致したメロディの生成（創造）が可能となる。
【００１４】
さらに、上記した構成において、メロディフレームとは、未だ具体的な「音」が特定されていない状態のメロディ（リズム）を意味しており、テンポ、強弱（アクセント）、１つの音符の長さ等が特定されたものが該当する。そのようなメロディフレームは、１つだけ格納されていても良いし、複数格納されていても良い。この場合、複数格納するケースでは、例えば、年間３６５日に対応して３６５通り準備しておき、生成する日のメロディフレームを選択するようにしても良いし、リラックスできるようなメロディフレームや、脳を活性化できるようなメロディフレームを複数準備しておき、利用者の精神的な情報に基づいて、それに対応したメロディフレームを選択するようにしても良い。なお、メロディフレームは、予め作曲者が作成することが可能であるため、そのようなメロディフレームを多数格納しておくことで、生成されるメロディについては、無限に拡大することが可能となる。
【００１５】
また、本発明は、上記した課題を解決するために、少なくとも日時に関する情報が入力される入力部と、生成されたメロディを出力する出力部とを備え、前記日時情報が入力された際にメロディを生成する音生成装置を機能させるプログラムであって、前記音生成装置を、前記入力部を介して少なくとも日時に関する情報を取得する日時情報取得ステップ、前記入力部から日時情報が入力された際、日時毎の太陽系惑星における各惑星の方位データ及び高度データを算出する算出ステップ、０°〜３６０°を所定角度に分割し、分割した角度毎に音名を割り当てた音名変換テーブルを参照して、前記算出ステップで得られた各惑星の方位データを割り当てて音名を特定する音名特定ステップ、前記算出ステップで得られた高度データから、前記音名特定ステップで特定された音名を高度順にしたがって順番特定する音順特定ステップ、前記音順特定ステップによって特定された音順を、所定のメロディフレームに合成してメロディを生成する音生成ステップ、として機能させるための音生成プログラムであることを特徴とする。
【００１６】
このような音生成プログラムにより、音生成装置から、任意のメロディを容易に生成することが可能となる。
【発明の効果】
【００１７】
本発明によれば、各人が固有のメロディを容易に創造することを可能にする音生成装置、及び、そのような音生成装置用のプログラムが提供されるようになる。
【図面の簡単な説明】
【００１８】
【図１】本発明に係る音生成装置の構成を説明するブロック図。
【図２】音生成部の構成を説明するブロック図。
【図３】音名換テーブルの一例を示す図。
【図４】日時毎の太陽系惑星における各惑星の方位データ及び高度データを算出したテーブル。
【図５】音生成部に格納された複数のメロディフレームの選択方法を説明する図。
【図６】メロディを生成する処理工程を説明するフローチャート。
【図７】音生成装置を、通信網に接続されるサーバとして構成した例を示すブロック図。
【発明を実施するための形態】
【００１９】
以下、本発明に係る音生成装置の実施形態について、添付図面を参照しながら具体的に説明する。  
図１及び図２は、本実施形態に係る音生成装置を説明するためのブロック図であり、携帯電話、ＰＤＡ（Personal Digital Assistant）、ゲーム機、目覚まし時計のような携帯型装置に音生成装置を組み込んだ例を示している。なお、図面では、音生成装置の機能を特定する構成要素を示しており、携帯型装置の全体構成については省略してある。
【００２０】
最初に、図１を参照して、音生成装置１の全体構成について説明する。  
音生成装置１は、装置全体を制御するＣＰＵ（Central Processing Unit）１０、各種のプログラムや設定情報を記憶したＲＯＭ（Read Only Memory）１１、一時記憶領域としてのＲＡＭ（Random  Access  Memory）１２、利用者からの入力操作を受け付ける入力部（キー入力デバイス）１５、任意のメロディを生成する音生成部１６、文字や画像などを表示する画像表示部１７、及び、音生成部１６で生成された音を報音する音出力部（スピーカ等を含む）１８とを備えており、それぞれの構成要素は、バス２０を介して接続されている。
【００２１】
前記ＣＰＵ１０は、ＲＯＭ１１に格納されている所定のプログラムを実行し、これに応じて生成される制御信号を、バス２０を介して各部に供給することで各部を制御し、音生成装置１全体を制御する機能を有する。
【００２２】
前記ＲＯＭ１１は、ＣＰＵ１０によって実行される様々なプログラムや処理に必要とされるデータ、例えば、後述する音名変換テーブル、惑星位置のデータを算出するプログラム、データ管理プログラム等が記憶されている。また、前記ＲＡＭ１２は、作業領域を備えており、前記プログラムが作動している際に、処理手順やデータなどを一時的に記憶する機能を備えている。
【００２３】
前記入力部１５は、例えば、操作キーや機能キーなどを備えた情報入力装置が該当し、利用者から各種の情報を受け付ける部分である。この入力部１５からは、少なくとも日時に関する情報（例えば、年、月、日、時間情報など）が入力されるようになっている。
【００２４】
なお、前記ＣＰＵ１０、ＲＯＭ１１及びＲＡＭ１２は、入力部１５から日時情報が入力された際、日時毎の太陽系惑星における各惑星の方位データ及び高度データを有する惑星位置データに基づいて、所定のメロディフレームに合成される音順を特定する音順特定処理部としての機能を備えている。
【００２５】
前記音生成部１６は、後述するように、日時毎の太陽系惑星における各惑星の方位データ及び高度データ、並びに、０°〜３６０°を所定角度に分割し、分割した角度毎に音名を割り当てた音名変換テーブルを用いることにより、音源ＩＣによって様々なメロディを生成（創造）する部分である。
【００２６】
前記画像表示部１７は、例えば液晶パネルやエレクトロルミネッセンスパネルのような表示装置を含んでおり、前記ＣＰＵ１０の制御に基づいて画像制御回路を駆動し、例えば操作方法、メッセージ（利用者に入力を促すメッセージ）等、様々な画像を表示する部分である。
【００２７】
前記音出力部１８は、スピーカ及び音声出力制御回路を含んでおり、音生成部１６から出力されるメロディ信号の供給を受けて、これをＤ／Ａ変換すると共に増幅して、生成されたメロディをスピーカから報音する部分である。
【００２８】
次に、図２を参照して、前記音生成部１６の構成について説明する。  
音生成部１６は、音生成部１６の動作を制御するＣＰＵ３０、予め特定された各種のメロディフレームを格納したメロディフレーム格納部３１、ＣＰＵ３０の作業領域として機能するＲＡＭ３２、メロディフレーム格納部３１に格納されているメロディフレームと前記音順特定処理部において特定された音順とを合成するメロディデータ処理部３５、メロディデータ処理部３５で処理されたメロディデータを読み込んで、ＰＣＭ（Puls Code Modulation）音源やＦＭ（Frequency Moduration）音源等によって実際に音を生成する音源ＩＣ３６、及び前記バス２０と接続される通信部３７を備えており、それぞれの構成要素は、バス４０を介して接続されている。
【００２９】
前記ＲＯＭ１１には、０°〜３６０°を所定角度に分割し、分割した角度毎に音名を割り当てた音名変換テーブルが記憶されている。ここで、音名変換テーブルについて、図３を参照して具体的に説明する。
【００３０】
音名変換テーブルは、後述する惑星位置データの方位データと関連付けされるものであり、例えば、図３に示すように、０°〜３６０°を、北から東周りに均等間隔で６°分割して６０区分とし、各区分された領域に、図３で特定した音名を割り当てたものである。なお、このような音名変換テーブルは、太陽系の各惑星のある日時の方位を、音名に変換できるようにされていれば良く、角度の範囲、及び角度毎に割り当てられる音名は任意に設定されるが、最終的にメロディを生成するに際して、不協音（統一性のないメロディ）が生じないように設定されたものであれば良い。
【００３１】
また、前記ＲＯＭ１１には、前記入力部１５から日時情報が入力された際、日時毎の太陽系惑星における各惑星の方位データ及び高度データを有する惑星位置データを算出可能なプログラムが格納されている。このような惑星位置データを計算して取得することは一般化されており、例えば、２００９年８月２６日の１５時４４分における東京位置（経度及び緯度によって観測位置が特定される）での太陽系の惑星位置データは、図４に示すように取得することが可能である。
【００３２】
この場合、図４では、計算される太陽系の惑星データについて、様々なデータが示されているが、ここで使用されるデータは、方位データと高度データである。なお、ここでの「高度データ」とは、観測位置において、各惑星の地平線からの高さであり（地平線から沈んで見えない惑星はマイナス表示されている）、「方位データ」とは、観測位置において、北から東周りの角度が対応している。
【００３３】
前記音生成部１６におけるメロディフレーム格納部３１には、未だ具体的な「音」が特定されていない状態のメロディ（これをメロディフレームと称する）が格納されている。メロディフレームは、メロディを構成する際のテンポ、各音の長短、強弱などによって構成されるものであり、１つだけ格納されていても良いし、複数格納されていても良い。そして、このようなメロディフレームは、予め作曲者が作成することが可能であり、また、メロディフレームを構成するテンポ、長短、強弱等については、惑星を特定する曲調（例えば、月、太陽については、音楽業界において、その惑星を特定する曲調が存在する）に基づいて作成しても良いし、メロディフレームの中にこのような曲調の旋律を部分的に組み込んでも良い。或いは、太陽からの距離に応じて、強弱（水星は太陽から近いため強となり、冥王星は遠いため弱となる）を設定した旋律をメロディフレームの中に組み込んでも良い。
【００３４】
なお、メロディフレームは、メロディフレーム格納部３１に予め多数記憶しておいても良く、この場合、例えば、図５に示すように、入力された日付によってコード情報を特定し、そのコード情報に対応したメロディフレームを選択するようにしても良い（本実施形態では、入力された日の情報に基づいて、その日に対応するメロディフレームを取得するようにしている）。
【００３５】
次に、図６のフローチャートを参照しながら、実際に上記した音生成装置１によってメロディを生成する処理工程（主にＣＰＵ１０において実行されるプログラムによるメロディを生成する処理工程）について説明する。なお、ここでは、２００９年８月２６日の１５時４４分の東京位置における惑星位置データ（図４参照）を利用して、メロディを生成する工程について説明する。
【００３６】
図１に示す音生成装置１の入力部１５は、利用者からの入力を待機し、日時情報の入力があった際、その日時（位置情報）に基づき、惑星位置データの算出処理を行う（ＳＴ１；Ｙｅｓ、ＳＴ２）。ここでの惑星位置データは、図４に示した算出結果の内、月、太陽、水星、金星、火星、木星、土星、天王星、海王星、冥王星の方位データ及び高度データが利用される。
【００３７】
次に、図３に示したような音名変換テーブル（０°〜３６０°を所定角度に分割し、分割した角度毎に音名を割り当てた音名変換テーブル）を参照して、算出された各惑星の方位データを割り当て、音名を特定する（ＳＴ３）。ここでは、月は約１６９°であるため音名「ミ」が、太陽は約２６０°であるため音名「ソ」が、水星は約２２９°であるため音名「レ」が、金星は約２８８°であるため音名「ド♯」が、火星は約３１０°であるため音名「レ♯」が、木星は約９２°であるため音名「レ」が、土星は約２４１°であるため音名「ミ」が、天王星は約５６°であるため音名「ラ」が、海王星は約８８°であるため音名「レ」が、冥王星は約１２５°であるため音名「ソ」が、それぞれ特定される。
【００３８】
次に、算出された高度データから、特定された音名を高度順に従って並び替え、音順を特定する（ＳＴ４）。ここでは、高度が高い順（地平線から現れる順の惑星）に並び替えるようにしており、高度データに基づけば、その順番は、土星、水星、月、太陽、冥王星、金星、火星、木星、海王星、天王星となる。したがって、各惑星で特定された音名を考慮すると、音順は、「ミ」−「レ」−「ミ」−「ソ」−「ソ」−「ド♯」−「レ♯」−「レ」−「レ」−「ラ」で特定される。
【００３９】
順番が特定された音名は、音生成部１６に送信され、ここで、具体的なメロディの生成が成される。音生成部１６では、メロディフレーム格納部１６に格納された多数のメロディフレームから所定のメロディフレームを注出する。格納されるメロディフレームについては、１つであっても良いが、本実施形態では、日毎に応じて多数のメロディフレームが格納されており、入力された日付情報（８月２６日に対応するコード情報）に基づいて、それに対応したメロディフレームを取得する（ＳＴ５）。
【００４０】
そして、メロディデータ処理部３５において、取得されたメロディフレームと特定された音順を合成してメロディデータを生成し（ＳＴ６）、音源ＩＣ３６に対して生成したメロディデータを送信して実際のメロディの生成を実行する（ＳＴ７）。
【００４１】
ここで、メロディフレームは、複数の旋律（小節）で構成されていても良く、上記した音順を特定した部分は、全体のメロディの一部として再生されるものであっても良い。例えば、メロディフレームは、第１の序章として月の音（２００９年８月２６日の月の音は「ミ」であることから、この音を最高音域とした小節）、第２の序章として、冥王星に対応する音から順番に水星に対応する音までを弱から強に移行させる小節、次いで、本章として、太陽の音（２００９年８月２６日の太陽の音は「ソ」であることから、この音を最大低音とした小節）、最終章として、水星に対応する音から順番に冥王星に対応する音までを強から弱に移行させる小節等を含んでいても良く、上記したようにＳＴ４で特定された音順については、太陽の音で構成される小節の後に本章部分として組み込まれても良い。
【００４２】
すなわち、メロディフレームについては、その長さ、旋律等を様々な形態によって特定することが可能であり、特定された音順を合成する領域については、メロディフレームの中の任意の領域としても良い。
【００４３】
そして、ＳＴ７において生成されたメロディは、音出力部１８に送信され、これをＤ／Ａ変換すると共に増幅することで、生成されたメロディをスピーカから報音処理（ＳＴ８）し、一連の処理が終了する。
【００４４】
上記した構成の音生成装置によれば、例えば、ある人の生年月日から惑星位置データを取得することで、その人固有のメロディを容易に生成することが可能となる。すなわち、日時により、惑星位置データは異なるため、その人物固有のメロディを生成することが容易に行えるようになる。この場合、入力部１５において、日時情報に加え、位置情報を入力するように設定することで、位置毎に異なる惑星位置データを取得することができるため、より多様化したメロディを生成することが可能となる。例えば、任意の位置であっても、その位置情報を選択して入力することで、その位置における惑星位置データ（もしくはその位置から最も近い主要都市の惑星位置データ）を取得して、より最適な固有メロディを容易に生成することが可能となる。
【００４５】
また、上記した実施形態では、日付に対応して多数のメロディフレームを格納しておき、入力された日付を基にしてメロディフレームを選択したが（図５参照）、メロディフレームについては、利用者の気分によって最適なものを選択するようにしても良い。例えば、リラックスできるようなメロディフレーム、活性化できるようなメロディフレーム、気分転換できるようなメロディフレーム等、複数準備しておき、利用者が入力部を介して入力する精神的な情報（リラックスしたい、脳を活性化したい、集中力を高めたい等）に基づいて、それに対応したメロディフレームを選択するようにしても良い。なお、このような情報については、例えば、画像表示部１７に所定の画像を表示させて、利用者に情報の入力を促すようにすれば良い。
【００４６】
以上、本発明の実施形態について説明したが、上記した音生成装置については、それぞれの利用者が所有する携帯端末以外にも、インターネットのような通信網を介して、所定の携帯端末に、生成されたメロディを配信するサーバとして構成されたものであっても良い。
【００４７】
例えば、音生成装置１は、図７に示すブロック図のように、一般のユーザが所有する端末（携帯電話、パーソナルコンピュータ等）８０から、インターネットのような通信網１００を介して日時に関する情報を受け付ける通信管理部（入出力インターフェース）５１を備えており、入力された情報を基にして固有のメロディを生成し、その端末８０に送信する構成であっても良い。この場合、上記した実施形態と同様、音生成部１６で生成されたメロディデータについては、メロディデータ送信部５０においてＭＩＤＩ（musical Instruments Digital Interface）方式の音情報や、ＭＩＤＩ方式等の音声ファイル（例えば、ＭＰ３、．ＷＡＶなど）情報に変換し、通信管理部５１を介して所定の端末に送信することで、その端末において、生成された固有のメロディを再生することが可能となる。
【００４８】
また、上記以外にも、本発明に係る音生成装置は、様々なデバイスに組み込むことが可能である。例えば、家電製品、車、駅のプラットフォームの生成装置に組み込んだり、祝電やグリーティングカードに生成されたメロディを挿入することが可能である。
【符号の説明】
【００４９】
１  音生成装置
１０  ＣＰＵ
１１  ＲＯＭ
１５  入力部
１６  音生成部
【図１】
2011081280.tif 000003
【図２】
2011081280.tif 000004
【図３】
2011081280.tif 000005
【図４】
2011081280.tif 000006
【図５】
2011081280.tif 000007
【図６】
2011081280.tif 000008
【図７】
2011081280.tif 000009